(57)【特許請求の範囲】
【請求項１】
第１の帯域幅を有する無線周波受信機の飽和を防止する方法であって、
前記第１の帯域幅内から第１の受信経路（１４９）を通って入力通信信号（３０２）を受信する段階と、
前記入力通信信号を前記第１の受信経路を通って同時的に受信する一方で、第２の通信経路（１５１）を通って前記第１の帯域幅内からノイズレベルを測定する段階と、
前記第２の経路の前記ノイズレベル（３０４）を第１の所定のノイズレベルと比較する段階（５１０）と、
前記比較する段階が前記ノイズレベルが前記第１の所定のノイズレベルより大きいことを判定したことに応じて、前記第１の帯域幅（４１０）を前記第１の帯域幅より大きな第２の帯域幅（４１２）へと調整する段階と、
前記比較する段階が前記ノイズレベルが前記第１の所定のノイズレベルより大きいことを判定したことに応じて、前記入力通信信号と同時的に、前記第２の受信経路を通って前記第２の帯域幅内から前記ノイズレベルを測定する段階（５１４）と、
前記測定する段階が前記測定する段階の前記ノイズレベルが第２の所定のノイズレベルより大きいことを判定したことに応じて、入力信号利得を調整する段階（５２２）と
を具備することを特徴とする無線周波受信機の飽和を防止する方法。
【請求項２】
アドバンスドモービル電話システム（ＡＭＰＳ）通信信号および移動通信のためのグローバルシステム（ＧＳＭ）通信信号を受信するための２重モード無線周波受信機であって、
前記ＡＭＰＳおよび前記ＧＳＭ通信信号を受信するためのフロントエンド部分（１２３）、
前記フロントエンド部分に結合され前記フロントエンド部分から受信される信号の総合信号利得を制御するための自動利得制御（ＡＧＣ）手段（２２４）、
前記ＡＧＣに結合されかつ可変帯域幅を有するアクティブフィルタ手段（１０６）であって、前記可変帯域幅は前記ＡＭＰＳ通信信号が通過できるようにするため前記ＡＭＰＳ信号処理と合わされた第１の帯域幅（３０８）を規定しかつ前記ＧＳＭ通信信号が通過できるようにするため前記ＧＳＭ信号処理と合わされた第２の帯域幅（３０６）を規定するよう選択的に調整可能であるもの、
前記アクティブフィルタ手段に結合され前記ＧＳＭ通信信号および前記ＡＭＰＳ通信信号をデジタル信号に変換しかつ該デジタル信号をあるノードに提供するための変換手段（１０６）、
第１のチャネルによって前記ノードに結合されたローパスフィルタ（２１４）であって、前記第１のフィルタは第１のベースバンドをさらに規定するもの、
第２のチャネルによって前記ノードに結合されたハイパスフィルタ（２１６）であって、前記第２のフィルタは第２のベースバンドをさらに規定するもの、
前記ハイパスフィルタの出力に結合され不所望のノイズレベルを推定するための電力推定手段（２２０）、および
前記電力推定手段に結合され前記不所望のノイズレベルが第１の所定の総合電力レベルより大きいか否かを判定し、かつそれに応じて前記アクティブフィルタに信号を送り前記第１の帯域幅の規定から前記第２の帯域幅の規定へと所定量の時間の間選択的に調整を行なう決定手段（２２４）、
を具備し、前記決定手段は前記不所望のノイズが第２の所定の総合電力レベルより大きいことを判定したことに応じて信号を前記ＡＧＣに送り前記総合信号利得を低減することを特徴とする２重モード無線周波受信機。
【請求項３】
前記ローパスフィルタは第１のソフトフィルタからなりかつ前記ハイパスフィルタは第２のソフトフィルタからなることを特徴とする請求項２に記載の受信機。
【請求項４】
前記第２の所定の総合電力レベルは所定の受信機感度値より小さいかまたは等しいことを特徴とする請求項３に記載の受信機。
【請求項５】
第１の帯域幅を有する無線周波受信機の飽和を防止する方法であって、
第１の受信経路（１４９）を通って前記第１の帯域幅内から入力通信信号（３０６）を受信する段階であって、前記入力通信信号はある総合受信電力レベルを有する前記段階、
前記第１の帯域幅（４１０）を前記第１の帯域幅より大きな周波数範囲を有する第２の帯域幅（４１２）へと調整する段階（５１２）、
前記入力信号を前記第１の経路を通って同時的に受信する一方で、第２の受信経路を通って前記第２の帯域幅の総合ノイズレベルを測定する段階（５１４）、
前記第２の受信経路の前記総合ノイズレベルが所定の総合ノイズレベルより大きいか否かを判定する段階（５１６）、そして
前記第２の帯域幅の前記総合ノイズレベルが前記所定の総合ノイズレベルより大きいことを判定したことに応じて前記総合受信電力レベルを調整する段階（５２２）、
を具備することを特徴とする無線周波受信機の飽和を防止する方法。
【請求項６】
前記調整する段階および前記測定する段階はランダムに発生される周波数で行なわれることを特徴とする請求項５に記載の方法。
【請求項７】
第１の所望の帯域幅から通信信号を受信するための受信機であって、
前記第１の所望の帯域幅から所望の通信信号（３０６）を受信するための第１の経路（１４９）であって、前記所望の通信信号はあるノイズレベルおよびある総合受信電力レベルを有するもの、
前記第１の所望の帯域幅を規定しかつ前記第１の帯域幅より大きな第２の帯域幅を規定するよう調整可能な、調整可能なフィルタ（２１４）、
前記第２の帯域幅の前記ノイズレベルを決定するための決定手段（２２４）、
前記第２の帯域幅の前記ノイズレベルを第１の所定のノイズレベルと比較するための比較手段（２２０）、および
前記比較手段が前記ノイズレベルが前記第１の所定のノイズレベルより大きいことを判定したことに応じて前記総合受信電力レベルを調整するための調整手段（１０３）、
を具備することを特徴とする第１の所望の帯域幅から通信信号を受信するための受信機。
【発明の詳細な説明】
【０００１】
【発明の属する技術分野】
本発明は多バンドまたはマルチバンド受信機において受信される無線周波（ＲＦ）信号電力の制御に関する。より特定的には、本発明は隣接する帯域幅に存在するＲＦ信号からの妨害エネルギの検出、および前記受信機のベースバンド部分において受信されたエネルギを制御し前記ベースバンド回路が飽和またはオーバドライブされないことを保証するための方法および装置に関する。
【０００２】
【従来の技術】
２重モードまたはデュアルモード（ｄｕａｌ  ｍｏｄｅ）通信装置は、アナログまたはデジタル形式のいずれでもＲＦ信号を送信しかつ受信することができるように設計されている。アナログＲＦ信号を送信するための方法は典型的にはアドバンスドモービル電話システム（ａｄｖａｎｃｅｄ  ｍｏｂｉｌｅ  ｐｈｏｎｅ  ｓｙｓｔｅｍ：ＡＭＰＳ）を使用して達成され、かつデジタルＲＦ信号の送信方法は、時分割多元接続（ＴＤＭＡ）、符号分割多元接続（ＣＤＭＡ）および移動通信のためのグローバルシステム（ＧＳＭ）を含む複数のマルチアクセス技術から選択することができる。デュアルモード装置のようなマルチモード装置はこれらの技術のいくつかを組み合わせかつそれらを１つの装置へと導入することになる。デュアルモード通信装置の受信機部分は、例えば、デュアルモードではないが上の方法の内の任意の２つ、アナログまたはデジタル、に従って信号の組み合わせを受信するよう構成されたものと同様のものである。
【０００３】
典型的な受信機回路は２つの汎用部分、フロントエンド部分およびバックエンド部分、を具備する。フロントエンド部分は初期的ろ波またはフィルタリング、所望の帯域幅の増幅、および受信機のバックエンド部分によるさらなる処理のために中間周波数への変換を行なうよう機能する。バックエンド部分は信号をデジタル信号処理のための準備においてベースバンドへと変換する。ＲＦ信号はアンテナを介してフロントエンド部分に入りかつフロントエンドからバックエンドへと転送される。
【０００４】
無線周波受信機の入力（ｉｎｃｏｍｉｎｇ）信号電力の制御は信号レベルをベースバンド回路の動作範囲内に維持するための制御機能として受信機の適切な動作のために必須のものである。もし前記信号レベルがベースバンド回路の動作範囲を超えれば、受信機の性能は信号対雑音比および受信機の選択度の低下の結果として劣化する。これは妨害または干渉隣接信号が所望のオンチャネル（ｏｎ−ｃｈａｎｎｅｌ）信号またはチャネル対応信号と比較して非常に強い場合に発生する可能性がありかつベースバンド回路がオーバロードの結果として飽和するようになる。この結果所望のオンチャネル信号が感度を減じられることになる（ｄｅｓｅｎｓｉｔｉｚｅｄ）。したがって、ベースバンド回路の前に受信信号電力を制御しかつ信号レベルをバックエンド回路の動作範囲内に維持することが必要である。ベースバンド回路のフィルタ部分は所望のオンチャネル周波数のみを通過できるようにすることにより隣接妨害ノイズ信号を低減する。しかしながら、ベースバンド回路の前の入力総合電力レベルは妨害ノイズエネルギのみならず所望の通信信号を有している。これら２つの組み合わせはノイズレベルがあまりにも高くなりすぎる結果としてベースバンド回路の飽和につながる可能性がある。
【０００５】
１つの典型的な制御の方法はベースバンド回路の前に測定回路を設け妨害ノイズレベルの電力推定または見積りが行なわれるようにすることである。電力推定のための伝統的な手段は総合または総計（ａｇｇｒｅｇａｔｅ）受信電力レベルを測定することでありかつ測定データを受信信号強度指示器（ＲＳＳＩ）に提供する。ＲＳＳＩは付加的な回路を通して前記推定された電力レベルに対応する自動利得制御（ＡＧＣ）への制御信号を提供する。ＲＳＳＩからＡＧＣへ提供される信号はベースバンド回路に入る総合受信電力レベルの利得を制御するために使用される。総合受信電力レベルが増大すると、ＡＧＣは信号利得を低減する。これは入力信号電力の制御を提供するが余分の回路による付加的なコスト、増大した集積回路（ＩＣ）サイズ、およびプリント回路基板（ＰＣＢ）上の増大した面積要求という不都合を伴って達成される。
【０００６】
【発明が解決しようとする課題】
付加的な回路を使用することは装置内により多くのスペースを必要とすることから問題を生じ、かつほとんど常にコストの低減が望まれる。したがって、受信機に入るノイズを検出しかつ制御する手段および方法を改善する必要がある。
【０００７】
【課題を解決するための手段】
本発明によれば、第１の帯域幅を有する無線周波受信機の飽和を防止する方法が提供され、該方法は、前記第１の帯域幅内から第１の受信経路（１４９）を通って入力通信信号（３０２）を受信する段階、前記入力通信信号を前記第１の受信経路を通って同時的に受信する一方で、第２の通信経路（１５１）を通って前記第１の帯域幅内からノイズレベルを測定する段階、前記第２の経路の前記ノイズレベル（３０４）を第１の所定のノイズレベルと比較する段階（５１０）、および前記比較する段階が前記ノイズレベルが前記第１の所定のノイズレベルより大きいことを判定したことに応じて、前記第１の帯域幅（４１０）を前記第１の帯域幅より大きな第２の帯域幅（４１２）へと調整する段階、を具備することを特徴とする。
【０００８】
さらに、前記比較する段階が前記ノイズレベルが前記第１の所定のノイズレベルより大きいことを判定したことに応じて、前記入力通信信号と同時的に、前記第２の受信経路を通って前記第２の帯域幅内から前記ノイズレベルを測定する段階（５１４）を具備すると好都合である。
【０００９】
さらに、前記測定する段階が前記測定する段階の前記ノイズレベルが第２の所定のノイズレベルより大きいことを判定したことに応じて、入力信号利得を調整する段階（５２２）を具備すると好都合である。
【００１０】
本発明の別の態様によれば、アドバンスドモービル電話システム（ＡＭＰＳ）通信信号および移動通信のためのグローバルシステム（ＧＳＭ）通信信号を受信するための２重モード無線周波受信機が提供され、該受信機は、前記ＡＭＰＳおよび前記ＧＳＭ通信信号を受信するためのフロントエンド部分（１２３）、前記フロントエンド部分に結合され前記フロントエンド部分から受信される信号の総合信号利得を制御するための自動利得制御（ＡＧＣ）手段（２２４）、前記ＡＧＣに結合されかつ可変帯域幅を有するアクティブフィルタ手段（１０６）であって、前記可変帯域幅は前記ＡＭＰＳ通信信号が通過できるようにするため前記ＡＭＰＳ信号処理と合わされた第１の帯域幅（３０８）を規定しかつ前記ＧＳＭ通信信号が通過できるようにするため前記ＧＳＭ信号処理と合わされた第２の帯域幅（３０６）を規定するよう選択的に調整可能であるもの、前記アクティブフィルタ手段に結合され前記ＧＳＭ通信信号および前記ＡＭＰＳ通信信号をデジタル信号に変換しかつ該デジタル信号をあるノードに提供するための変換手段（１０６）、第１のチャネルによって前記ノードに結合されたローパスフィルタ（２１４）であって、前記第１のフィルタは第１のベースバンドをさらに規定するもの、第２のチャネルによって前記ノードに結合されたハイパスフィルタ（２１６）であって、前記第２のフィルタは第２のベースバンドをさらに規定するもの、前記ハイパスフィルタの出力に結合され不所望のノイズレベルを推定するための電力推定手段（２２０）、および前記電力推定手段に結合され前記不所望のノイズレベルが第１の所定の総合電力レベルより大きいか否かを判定し、かつそれに応じて前記アクティブフィルタに信号を送り前記第１の帯域幅の規定から前記第２の帯域幅の規定へと所定量の時間の間選択的に調整を行なう決定手段（２２４）、を具備することを特徴とする。
【００１１】
前記決定手段は前記不所望のノイズが第２の所定の総合電力レベルより大きいことを判定したことに応じて信号を前記ＡＧＣに送り前記総合信号利得を低減すると好都合である。
【００１２】
また、前記ローパスフィルタは第１のソフトフィルタからなりかつ前記ハイパスフィルタは第２のソフトフィルタから構成することもできる。
【００１３】
さらに、前記第２の所定の総合電力レベルは所定の受信機感度値より小さいかまたは等しいと好都合である。
【００１４】
本発明のさらに別の態様によれば、第１の帯域幅を有する無線周波受信機の飽和を防止する方法が提供され、該方法は、第１の受信経路（１４９）を通って前記第１の帯域幅内から入力通信信号（３０６）を受信する段階であって、前記入力通信信号はある総合受信電力レベルを有する前記段階、前記第１の帯域幅（４１０）を前記第１の帯域幅より大きな周波数範囲を有する第２の帯域幅（４１２）へと調整する段階（５１２）、前記入力信号を前記第１の経路を通って同時的に受信する一方で、第２の受信経路を通って前記第２の帯域幅の総合ノイズレベルを測定する段階（５１４）、前記第２の受信経路の前記総合ノイズレベルが所定の総合ノイズレベルより大きいか否かを判定する段階（５１６）、そして前記第２の帯域幅の前記総合ノイズレベルが前記所定の総合ノイズレベルより大きいことを判定したことに応じて前記総合受信電力レベルを調整する段階（５２２）、を具備することを特徴とする。
【００１５】
この場合前記調整する段階および前記測定する段階はランダムに発生される周波数で行なわれると好都合である。
【００１６】
本発明のさらに別の態様によれば、第１の所望の帯域幅から通信信号を受信するための受信機が提供され、該受信機は、前記第１の所望の帯域幅から所望の通信信号（３０６）を受信するための第１の経路（１４９）であって、前記所望の通信信号はあるノイズレベルおよびある総合受信電力レベルを有するもの、前記第１の所望の帯域幅を規定しかつ前記第１の帯域幅より大きな第２の帯域幅を規定するよう調整可能な、調整可能なフィルタ（２１４）、前記第２の帯域幅の前記ノイズレベルを決定するための決定手段（２２４）、前記第２の帯域幅の前記ノイズレベルを第１の所定のノイズレベルと比較するための比較手段（２２０）、および前記比較手段が前記ノイズレベルが前記第１の所定のノイズレベルより大きいことを判定したことに応じて前記総合受信電力レベルを調整するための調整手段（１０３）、を具備することを特徴とする。
【００１７】
【発明の実施の形態】
本発明は、無線通信装置のためのマルチモード受信機回路において所望の通信信号周波数の近くに存在する妨害ノイズによる電力のオーバロードを防止するために独自の方法および装置を提供する。本発明の好ましい実施形態では、２重モード受信機は前記アドバンスドモービル電話システム（ＡＭＰＳ）に同調または適合される第１の帯域幅および携帯用無線電話における移動通信のためのグローバルシステム（ＧＳＭ）に同調または適合される第２の帯域幅から無線周波（ＲＦ）信号を受信する。
【００１８】
全ての受信機はそれらがシングルモードであれ、デュアルモードであれあるいはマルチモードであれ受信ＲＦ信号のレベルを受信機回路の動作範囲内に維持するための何らかの手段を必要とする。本発明はデュアルモード通信装置において必要な現存する構成要素を使用して受信機における総合受信電力レベルを制御する現在の方法を改善しかつ従来の方法で使用された付加的な回路の必要性を除去する。コストを加えかつ装置の寸法を増大する、回路を加えることに代えて、本発明はデュアルモード通信装置において必要な複数の帯域幅からのＲＦ信号の処理のためにソフトウェアによる解決方法と組み合わせて現存の回路を好適に利用する。
【００１９】
図１に移ると、本発明の好ましい実施形態に係わる無線通信装置のブロック図が示されている。この装置は本発明を導入したセルラ無線電話である。好ましい実施形態においては、モトローラ・インコーポレイテッドから入手可能なＣＭＯＳ  ＡＳＩＣのような、フレーム発生器ＡＳＩＣ  １０１、およびモトローラ・インコーポレイテッドから入手可能な６８ＨＣ１１型マイクロプロセッサのような、マイクロプロセッサ１０３を組み合わせてセルラシステムにおいて動作するための必要な通信プロトコルを発生する。マイクロプロセッサ１０３は、好ましくは１つのパッケージ１１１にまとめられた、ＲＡＭ  １０５、ＥＥＰＲＯＭ  １０７およびＲＯＭ  １０９からなるメモリ１０４を使用して、表示装置１１３への書き込み、キーパッド１１５からの情報の受入れ、または本発明に従って受信機利得を制御することを含む周波数シンセサイザ１２５およびＤＳＰ  １０６の制御のような、プロトコルを発生しかつ無線通信装置のための他の機能を行なうのに必要なステップを実行する。ＡＳＩＣ  １０１はオーディオ回路１１９によってマイクロホン１１７からおよびスピーカ１２１へと変換されるオーディオの処理を行なう。
【００２０】
図１はまた、２重モード通信装置の動作に必要とされる２つの別個の帯域幅からのＲＦ信号を受信することができるフロントエンド受信機回路１２３を示している。該フロントエンド受信機は２つのチャネル、すなわち、第１の所望のモードで動作するためのチャネル「１」１４９および第２の所望のモードで動作するためのチャネル「２」１５１、から構成される。本発明の好ましい実施形態によれば、チャネル「１」１４９はＡＭＰＳ通信信号を受信するよう合わせられまたは同調され、かつチャネル「２」１５１はＧＳＭ通信信号を受信するよう合わせられている。前記ＡＭＰＳ通信システムは８２４ＭＨｚから８９４ＭＨｚの間で動作し、これは３０ｋＨｚのチャネルへと再分割される。ＧＳＭ通信システムは２００ｋＨｚのチャネルに再分割される１８５０ＭＨｚから１９９０ＭＨｚの範囲で動作する。通信装置の動作モードに応じて、ＩＦスイッチ１３５は適切な対応するチャネルへとプログラムされる。ＩＦスイッチ１３５はシンセサイザ１２５に結合され、該シンセサイザ１２５は所望の通信信号の復調に必要なベースバンド（ＢＢ）変換および適切なアクティブろ波を行なう。
【００２１】
シンセサイザ１２５、ＤＳＰ  １０６およびマイクロプロセッサ１０３は図２のブロック図により詳細に示されている。シンセサイザ１２５は、ＩＦプリアンプ２０４、ＩＦミキサ２０６、アクティブ・ベースバンド（ＢＢ）フィルタ２０８、およびアナログ−デジタル変換器２１０を含んでいる。ＩＦプリアンプ２０４はＢＢミキサ２０６およびアクティブＢＢフィルタ２０８に対して、これら双方がオーバロードになりやすいため、これらに対する総合信号利得入力を制御するための自動利得制御（ＡＧＣ）手段を提供する。このためのＡＧＣ回路２０４は前記ＢＢ回路の電力レベルを受信機が適切に機能できるように設計された動作範囲内に維持する。ＢＢミキサは前記ＩＦ信号を第２のＩＦ周波数に変換し、該第２のＩＦ周波数は次にアクティブＢＢフィルタ２０８によってろ波される。アクティブＢＢフィルタ２０８は所望の通信信号のみがさらなる処理のために通過できるように機能する。帯域幅の大きさはマイクロプロセッサ１０３によって送られる制御信号に応じて調整可能である。所望の通信信号を受信している間に、アクティブＢＢフィルタ２０８の帯域幅はそれに応じて設定されかつ所望の通信信号の近くの外部ノイズはアクティブＢＢフィルタ２０８によってできるだけろ波除去される。しかしながら、全ての不所望のノイズが除去できるのではなく、残留ノイズがさらなる処理へと通過する。
【００２２】
いったん所望の信号がアクティブＢＢフィルタ２０８によってろ波されると、該信号はアナログ−デジタル変換器２１０によってデジタル信号に変換される。この変換器は全ての信号（所望の通信信号およびノイズ）を受け入れかつそれらをデジタルデータビットへと変換し、それらは次にさらなるソフトフィルタリング（ｓｏｆｔ  ｆｉｌｔｅｒｉｎｇ）および復調のためにシリアル・データリンク２１２を介してＤＳＰ  １０６へと受け渡される。
【００２３】
図２はさらにＤＳＰを示し、該ＤＳＰにおいて前記デジタルデータ信号が共通ノードから２つのチャネルへと分割される。第１のソフトフィルタ２１４からなる第１の受信チャネルおよび第２のソフトフィルタ２１６からなる第２の受信チャネルがあり、これら双方のチャネルは入力信号を同時に処理している。本発明の好ましい実施形態においては、前記第１のソフトフィルタ２１４はローパスフィルタでありかつ前記所望のＡＭＰＳ通信信号の帯域幅を処理する。第２のソフトフィルタ２１６はハイパスフィルタとしてプログラムされ、前記所望のＡＭＰＳ通信信号を減衰させ、一方不所望のノイズを検出器２２０へと通過させることができる。図３はベースバンド周波数における前記所望の通信信号３０２および前記不所望のノイズ３０４を示している。前記所望の通信信号３０２および前記不所望のノイズ３０４の組み合わせは前記総合受信信号３１０となる。図３はまたＤＳＰローパス・ソフトフィルタ応答３０８およびＤＳＰハイパス・ソフトフィルタ応答３０６を示している。検出器２２０はハイパス・ソフトフィルタ２１６を通過する前記不所望のノイズ３０４の電力を検出しまたは推定し、かつこの推定値をマイクロプロセッサ１０３における決定手段２２４に提供する。
【００２４】
マイクロプロセッサ１０３における決定手段２２４は前記不所望のノイズ３０４のレベルを第１の所定のノイズレベルと比較する。もし不所望のノイズ３０４のレベルが該第１の所定のノイズレベルより大きければ、前記決定手段は信号をアクティブＢＢフィルタ２０８に送りＢＢ帯域幅を前記ＡＭＰＳ設定からＧＳＭ設定へと増大させる。図４は本発明の好ましい実施形態に従ってＡＭＰＳ設定のための１５ｋＨｚのＢＢ帯域幅４１０およびＧＳＭ設定のための１００ｋＨｚのＢＢ帯域幅４１２を示している。いったんＢＢ帯域幅が増大されると、検出器２２０はハイパス・ソフトフィルタ２１６を通過する不所望のノイズ３０４の第２の電力推定を行ないかつその推定値または見積り値をマイクロプロセッサ１０３の決定手段に提供する。
【００２５】
もし前記不所望のノイズ３０４の推定された電力レベルが第２の所定のノイズレベルより大きければ、前記決定手段は信号２２８をＡＧＣ  ２０４に送り総合受信信号電力を低減する。総合受信信号３１０の電力が低減される量は前記推定ノイズ電力レベルに反比例する。推定または見積られた不所望のノイズ３０４のレベルが高くなればなるほど、総合受信信号３１０の電力の低減が大きくなる。
【００２６】
図５は本発明におけるノイズ測定をトリガするための好ましいステップのフローチャートを示す。ステップ５００で開始した後、受信機はステップ５０２において動作モードを調べる。もし受信機がＡＭＰＳモードにあれば、受信機はステップ５０８に続き、そこで前記第２のソフトフィルタ２１６を通過するノイズレベルを測定する。通信装置は次にステップ５１０において測定されたノイズレベルが第１の所定のノイズレベルより大きいか否かを判定する。もし該ノイズレベルが前記所定の値より大きければ、これはより多くのノイズが存在することを示すが、アクティブＢＢフィルタ２０８がＡＭＰＳモードのために要求される帯域幅に合わされるため、妨害ノイズのいくらかはアクティブＢＢフィルタ２０８によって減衰されかつそのため第２のソフトフィルタヘ通過できない。この場合、通信装置はアクティブフィルタ２０８の帯域幅を増大する決定を行ないこれはステップ５１２に対応する。いったんアクティブＢＢフィルタ２０８の帯域幅が増大すると当初は帯域幅の外側にあったいずれのノイズも今や捕捉されかつ測定される、ステップ５１６。今や通信装置は増大した帯域幅のノイズレベルを第２の所定のノイズレベルと比較する。この測定はＩＦミキサ２０６およびアクティブＢＢフィルタ２０８への電力入力のより良好な推定または見積りを与える。もしこのレベルが最小の受信機感度に等しい、前記第２の所定のノイズレベルより大きければ、通信装置はステップ５２０において測定されたノイズの値に従って必要なＡＧＣ設定を選択する。マイクロプロセッサ１０３は次に対応する信号をＡＧＣに送りＩＦミキサ２０６およびアクティブフィルタ２０８への利得を低減しこれらの回路が飽和しないことを保証する。
【００２７】
図６に移ると、第２のフローチャートは本発明に従ってノイズレベルをサンプリングしかつ入力電力を調整する好ましいステップを示している。図５の場合と同様に、通信装置はステップ６０２において動作モードを調べる。もしモードがＡＭＰＳであれば、装置は非周期的な（ａｐｅｒｉｏｄｉｃ）サンプリングレートを選択するために１および２秒の間でランダムな時間遅延（ｒａｎｄｏｍ  ｔｉｍｅ  ｄｅｌａｙ）を発生する。装置は次にステップ６１０に進みかつカウントダウン・タイマをスタートさせる。ステップ６１２においていったんカウントダウン・タイマがゼロに到達すると、装置はアクティブＢＢフィルタ２０８に信号を送りＧＳＭモードに合わされた帯域幅を含むよう帯域幅を増大する。本発明の好ましい実施形態においては、前記帯域幅は１５ｋＨｚから１００ｋＨｚへと増大する。ステップ６１８において、検出器２２０がソフトフィルタ２１６を通過するノイズ電力レベルを推定または見積り、かつこの情報をマイクロプロセッサ１０３に送る。マイクロプロセッサにおいては、ステップ６１８において、前記推定されたノイズ電力レベルが第２の所定の電力レベルと比較される。もし前記推定されたノイズ電力レベルが前記第２の所定の電力レベルより大きければ、装置はステップ６２０に進みかつ前記推定されたノイズ電力レベルに基づきＡＧＣ調整レベルを計算する。装置は次に対応する信号をＡＧＣに送りかつそれに従って入力の総合信号電力が調整される。もしステップ６１６において測定されたノイズレベルが前記第２の所定のノイズレベルより低ければ、装置はステップ６２８に進みかつアクティブＢＢフィルタ２０８をＡＭＰＳモードに負わされた前記第１の帯域幅に戻しかつ通常動作を再開する。ＤＳＰは入力信号を並列に処理するから、前記ノイズは所望の通信信号の処理と同時的に測定される。所望の通信信号を処理している、前記第１のソフトフィルタはノイズを減衰させ、一方第２のチャネルの前記第２のソフトフィルタはノイズレベルを測定しかつ上で述べたフローチャートに従って調整を行なう。
【００２８】
本発明は入力の総合電力レベルがベースバンド回路をオーバロードさせて飽和を生じないようにすることを保証する上で特定の用途を見出すことができる。本方法および装置は２重モード通信装置における現存の回路を使用して利得制御を提供し付加的な回路の必要性を除去することによってプリント回路基板上のかつ集積回路内のスペースを節約する。ＤＳＰ技術の絶えず増大する能力は同時的なノイズレベルの測定および所望の通信信号の処理を可能にして切れ目のないまたは継ぎ目のない（ｓｅａｍｌｅｓｓ）電力制御を提供する。本方法および装置はまたＡＧＣ調整レベルに対するより大きな制御を可能にし、それは該レベルが所定のＡＧＣ調整レベルを使用するものに反して測定された総合電力レベルに基づいて計算されるからである。
【００２９】
本発明が上記説明および図面において述べられかつ示されたが、この説明は一例にすぎずかつ当業者によって本発明の真の精神および範囲から離れることなく数多くの変更および修正を行なうことが可能なことが理解される。例えば、ＲＦ装置への入力信号電力を制御するための方法および装置が示されたが、本装置はまた光波（ｌｉｇｈｔ  ｗａｖｅｓ）の形式での通信信号を受信する光をベースとした装置とすることもできる。本発明は携帯用セルラ無線電話において特定の用途を見出しているが、本発明は、ページャ、電子オーガナイザおよびコンピュータを含む、任意の無線通信装置に応用可能である。本発明は添付の特許請求の範囲によってのみ制限されるべきである。
【図面の簡単な説明】
【図１】伝統的な２重モード無線周波受信機を示すブロック図である。
【図２】本発明の好ましい実施形態に係わる受信機のバックエンド部分を示すブロック図である。
【図３】本発明の好ましい実施形態に係わる所望の信号およびノイズ信号を含むベースバンド周波数スペクトルを示す説明図である。
【図４】アクティブ・ベースバンドフィルタの設定を説明するベースバンド周波数スペクトルを示す説明図である。
【図５】本発明の好ましい実施形態に従って利得を測定しかつトリガモード様式でそれに従って調整するステップを示すフローチャートである。
【図６】本発明に従って利得を測定しかつサンプリングモード様式で調整するステップを示すフローチャートである。
【符号の説明】
１００無線通信装置
１０１  フレーム発生器ＡＳＩＣ
１０３  マイクロプロセッサ
１０４  メモリ
１１１  パッケージ
１１３  表示装置
１１５  キーパッド
１１７  マイクロホン
１１９  オーディオ回路
１２１  スピーカ
１２５  周波数シンセサイザ
１０６  ＤＳＰ
【図１】
0004459458.tif 000002
【図２】
0004459458.tif 000003
【図３】
0004459458.tif 000004
【図４】
0004459458.tif 000005
【図５】
0004459458.tif 000006
【図６】
0004459458.tif 000007